(57)【要約】【課題】空気を吹き出して形成する気流を広範囲に行きわたらせ、浴室内を乾燥させることが可能な浴室乾燥機付きユニットバスを提供する。【解決手段】ユニットバス２の天井パネル２６の端部２６Ｌから端部２６Ｒまでの領域を３等分して見た場合に、空気を吹き出す吹出口３５は端部２６Ｌ側の領域Ｙ１に設けられ、空気を吸い込む吸込口３２は端部２６Ｒ側の領域Ｙ３に設けられている。【選択図】図３
2015194313.tif 000002
【特許請求の範囲】
【請求項１】
浴室の天井に設けられる浴室乾燥機であって、
前記浴室内の空気を吸い込む吸込部と、
前記吸込部から吸い込まれた空気を流す内部流路と
前記内部流路を流れた空気を前記浴室内に吹き出す吹出部と、を備え、
前記天井の一端部から該一端部と対向する他端部までの領域を３等分して見た場合に、前記吹出部は前記一端部側の領域に設けられ、前記吸込部は前記他端部側の領域に設けられていることを特徴とする浴室乾燥機。
【請求項２】
前記吹出部の長手方向において、前記吹出部の一端部から該一端部寄りの前記天井の端部までの距離と、前記吹出部の他端部から該他端部寄りの前記天井の端部までの距離とは、いずれも前記吹出部の長手方向寸法よりも小さいことを特徴とする請求項１に記載の浴室乾燥機。
【請求項３】
前記吸込部の長手方向において、前記吸込部の一端部から該一端部寄りの前記天井の端部までの距離と、前記吸込部の他端部から該他端部寄りの前記天井の端部までの距離とは、いずれも前記吸込部の長手方向寸法よりも小さいことを特徴とする請求項１又は２に記載の浴室乾燥機。
【請求項４】
前記吸込部及び前記吹出部は、それぞれの長手方向が互いに略平行となるように設けられていることを特徴とする請求項１乃至３のいずれか１項に記載の浴室乾燥機。
【請求項５】
前記吹出部は、単一の開口で構成されていることを特徴とする請求項１乃至４のいずれか１項に記載の浴室乾燥機。
【請求項６】
前記吸込部は、単一の開口で構成されていることを特徴とする請求項１乃至５のいずれか１項に記載の浴室乾燥機。
【請求項７】
請求項１乃至６のいずれか１項に記載の浴室乾燥機と、
浴槽と洗い場とを有するユニットバスと、を備え、
前記吹出部は、その長手方向が、前記浴槽と前記洗い場とが並ぶ方向に沿うように設けられていることを特徴とする浴室乾燥機付きユニットバス。
【請求項８】
請求項１乃至６のいずれか１項に記載の浴室乾燥機と、
浴槽と洗い場とを有するユニットバスと、を備え、
前記吹出部から前記洗い場側に向けて吹き出す空気の流量が、前記吹出部から前記浴槽側に向けて吹き出す空気の流量よりも大きいことを特徴とする浴室乾燥機付きユニットバス。
【発明の詳細な説明】
【技術分野】
【０００１】
本発明は、浴室の天井に設けられる浴室乾燥機及びそれを備えた浴室乾燥機付きユニットバスに関する。
【背景技術】
【０００２】
浴室内に気流を生成することで、浴室内を乾燥させる浴室乾燥機が広く普及している。このような浴室乾燥機では、ファンの駆動により浴室内の空気を吸い込み、当該空気を浴室内に吹き出して戻すものが一般的である。浴室内を循環する気流により、浴室内の残水の蒸発が促され、カビの発生を抑制することができる。
【０００３】
浴室乾燥機は、一般的に装置全体がユニット化されており、浴室の天井にユニット全体を嵌め込むことにより構成される。例えば、下記特許文献１に開示される浴室乾燥機も、ユニット状の本体を浴室の天井パネルの中央に嵌め込むことにより取り付ける構成である。
【先行技術文献】
【特許文献】
【０００４】
【特許文献１】特開平８−１４５５５９号公報
【発明の概要】
【発明が解決しようとする課題】
【０００５】
ところで、特許文献１に示されるようなユニット式の浴室乾燥機は、吹出口と吸込口の間の距離が小さいことから、吹出口から吹出す空気により浴室内に形成される気流が、浴室の床面等に到達することなく吸込口に向かって進行してしまうショートカット現象を起こし得る。
【０００６】
しかしながら、浴室内においては、入浴者が洗身や洗髪を行う場所である洗い場の隅部や、天井の隅部などでカビの発生が顕著となる。このため、浴室乾燥機は、浴室の床面、壁面、及び天井の中央部はもちろん、それらの隅部にも気流を行きわたらせ、残水の蒸発を促す必要がある。特許文献１においても、ショートサーキット現象に対する課題は提示されているが、その解決手段は、吸込口と吹出口との間に遮蔽パネルを設け吹出口から吹き出される温風の方向を可変にすることで吹出口から吹き出された温風が直接吸込口に吸い込まれるのを防止し、効率的な衣類乾燥を目的とするものに過ぎず、浴室全体に気流を行きわたらせるような構成にはなっていない。
【０００７】
本発明はこのような課題に鑑みてなされたものであり、その目的は、空気を吹き出して形成する気流を広範囲に行きわたらせ、浴室内を乾燥させることが可能な浴室乾燥機及びそれを備えた浴室乾燥機付きユニットバスを提供することにある。
【課題を解決するための手段】
【０００８】
上記課題を解決するために、本発明に係る浴室乾燥機は、浴室の天井に設けられる浴室乾燥機であって、前記浴室内の空気を吸い込む吸込部と、前記吸込部から吸い込まれた空気を流す内部流路と前記内部流路を流れた空気を前記浴室内に吹き出す吹出部と、を備え、前記天井の一端部から該一端部と対向する他端部までの領域を３等分して見た場合に、前記吹出部は前記一端部側の領域に設けられ、前記吸込部は前記他端部側の領域に設けられていることを特徴としている。
【０００９】
本発明に係る浴室乾燥機によれば、３等分して見た天井の領域うち、吹出部は一端部側の領域に設けられ、吸込部は当該一端部側の領域から最も離れた他端部側の領域に設けられるため、吹出部と吸込部とが大きく離間する。これにより、吹出部から吹き出す空気により形成される気流が、浴室の床面等に到達することなく吸込部に向かって進行してしまうショートサーキット現象の発現を抑制することができる。
【００１０】
また本発明に係る浴室乾燥機では、前記吹出部の長手方向において、前記吹出部の一端部から該一端部寄りの前記天井の端部までの距離と、前記吹出部の他端部から該他端部寄りの前記天井の端部までの距離とは、いずれも前記吹出部の長手方向寸法よりも小さいことも好ましい。
【００１１】
この好ましい態様では、吹出部の長手方向寸法に対して、吹出部の各端部から、当該各端部寄りの天井の各端部までの距離を小さくしている。これにより、吹出部の長手方向寸法に対して、吹出部の各端部から浴室の各壁面までの距離が小さくなり、吹出部から吹き出した空気は、各壁面近傍の空気を巻き込みながら、幅広のカーテン状の気流を形成するため、気流を浴室内の広範囲に行きわたらせ、乾燥させることが可能となる。
【００１２】
また本発明に係る浴室乾燥機では、前記吸込部の長手方向において、前記吸込部の一端部から該一端部寄りの前記天井の端部までの距離と、前記吸込部の他端部から該他端部寄りの前記天井の端部までの距離とは、いずれも前記吸込部の長手方向寸法よりも小さいことも好ましい。
【００１３】
この好ましい態様では、吸込部の長手方向寸法に対して、吸込部の各端部から、当該各端部寄りの天井の各端部までの距離を小さくしている。これにより、吸込部の長手方向寸法に対して、吸込部の各端部から浴室の各壁面までの距離が小さくなり、吸込部により吸い込む浴室内の空気は、各壁面近傍の空気を巻き込みながら、幅広のカーテン状の気流を形成するため、気流を浴室内の広範囲に行きわたらせ、乾燥させることが可能となる。
【００１４】
また本発明に係る浴室乾燥機では、前記吸込部及び前記吹出部は、それぞれの長手方向が互いに略平行となるように設けられていることも好ましい。
【００１５】
この好ましい態様では、吸込部と吹出部のそれぞれの長手方向を互いに略平行とすることで、吹出部から空気を吹き出すことで形成した幅広のカーテン状の気流を、その形状を崩すことなく吸込部に至らせることができるため、気流を浴室内の広範囲に行きわたらせ、乾燥させることが可能となる。
【００１６】
また本発明に係る浴室乾燥機では、前記吹出部は、単一の開口で構成されていることも好ましい。
【００１７】
例えば、吹出部が互いに離間した複数の開口で構成される場合、各開口から吹き出す空気により形成される気流が互いに干渉し、吹出部近傍の気流に乱れが生じるおそれがある。そこで、この好ましい態様では、吹出部を単一の開口で構成することで、吹き出す気流も単一となるため、吹出部を互いに離間した複数の開口で構成する場合に比べて、吹出部近傍における気流の乱れを抑制し、浴室内に幅広のカーテン状の気流を確実に形成することが可能となる。
【００１８】
また本発明に係る浴室乾燥機では、前記吸込部は、単一の開口で構成されていることも好ましい。
【００１９】
例えば、吸込部が互いに離間した複数の開口で構成される場合、各開口により吸い込まれる空気により形成される気流が互いに干渉し、吸込部近傍の気流に乱れが生じるおそれがある。そこで、この好ましい態様では、吸込部を単一の開口で構成することで、吸い込まれる空気により形成される気流も単一となるため、吸込部を互いに離間した複数の開口で構成する場合に比べて、吸込部近傍における気流の乱れを抑制し、浴室内に幅広のカーテン状の気流を確実に形成することが可能となる。
【００２０】
また本発明に係る浴室乾燥機付きユニットバスは、本発明による浴室乾燥機と、浴槽と洗い場とを有するユニットバスと、を備え、前記吹出部は、その長手方向が、前記浴槽と前記洗い場とが並ぶ方向に沿うように設けられていることを特徴としている。
【００２１】
浴槽と洗い場とが並ぶことで、浴室の下部には大きな段差が生じる。このため、吹出口から吹き出す空気により形成される気流は、その進行を当該段差によって阻まれて浴槽と洗い場の双方に到達することができず、一方の乾燥が不十分になるというおそれがある。
【００２２】
本発明に係る浴室乾燥機付きユニットバスによれば、吹出部は、その長手方向が、浴槽と洗い場とが並ぶ方向に沿うように設けられているため、吹出部から吹き出す空気により形成される気流は、上記段差によって進行を阻まれることなく、浴槽と洗い場の双方に到達することが可能となる。
【００２３】
また本発明に係る浴室乾燥機付きユニットバスでは、本発明による浴室乾燥機と、浴槽と洗い場とを有するユニットバスと、を備え、前記吹出部から前記洗い場側に向けて吹き出す空気の流量が、前記吹出部から前記浴槽側に向けて吹き出す空気の流量よりも大きいことを特徴としている。
【００２４】
浴室内では、洗い場は浴槽に比べて排水性能が劣るため、入浴者の身体から出た皮脂や垢が残存し易く、それらを栄養源とするカビが発生し易い。この好ましい態様では、洗い場側に向けて優先的に空気を吹き出して気流を形成し、洗い場を優先的に乾燥させてカビの発生を抑制することが可能となる。
【発明の効果】
【００２５】
本発明によれば、空気を吹き出して形成する気流を広範囲に行きわたらせ、浴室内を乾燥させることが可能な浴室乾燥機及びそれを備えた浴室乾燥機付きユニットバスを提供することができる。
【図面の簡単な説明】
【００２６】
【図１】本発明の第１実施形態に係る浴室乾燥機及びそれを備えた浴室乾燥機付きユニットバスを表す斜視模式図である。
【図２】本発明の第１実施形態に係る浴室乾燥機及びそれを備えた浴室乾燥機付きユニットバスの送気装置を表す斜視模式図である。
【図３】本発明の第１実施形態に係る浴室乾燥機及びそれを備えた浴室乾燥機付きユニットバスを表す平面視模式図である。
【図４】本発明の第１実施形態に係る浴室乾燥機及びそれを備えた浴室乾燥機付きユニットバスの吹出口近傍を表す断面視模式図である。
【図５】本発明の第１実施形態に係る浴室乾燥機及びそれを備えた浴室乾燥機付きユニットバスの浴室空間の気流を表す正面視模式図である。
【図６】本発明の第２実施形態に係る浴室乾燥機及びそれを備えた浴室乾燥機付きユニットバスを表す平面視模式図である。
【発明を実施するための形態】
【００２７】
以下、添付図面を参照しながら本発明の実施形態について説明する。理解を容易にするため、各図面において同一の構成要素に対しては可能な限り同一の符号を付し、重複する説明は省略する。
【００２８】
まず、図１を参照して、本発明の第１実施形態に係る浴室乾燥機及びそれを備えた浴室乾燥機付きユニットバスの概略を説明する。図１は、本発明の第１実施形態に係る浴室乾燥機及びそれを備えた浴室乾燥機付きユニットバスを表す斜視模式図である。
【００２９】
図１に表すように、浴室乾燥機付きユニットバス１は、ユニットバス２と、浴室乾燥機３と、を有している。
【００３０】
ユニットバス２は、正面パネル２１と、背面パネル２２と、左側面パネル２３と、右側面パネル２４と、床パネル２５と、天井パネル２６と、を有している。ユニットバス２の内部には、これら６枚のパネルによって囲まれる略直方体形状の浴室空間２０が形成されている。
【００３１】
以下、背面パネル２２から正面パネル２１にわたる方向（矢印Ｘ方向）を「奥行方向」という。また、奥行方向に直交する方向であって、左側面パネル２３から右側面パネル２４にわたる方向（矢印Ｙ方向）を「左右方向」という。さらに、床パネル２５から天井パネル２６にわたる方向を「上下方向」という。
【００３２】
浴室空間２０には、浴槽２Ｂが設けられている。浴槽２Ｂは、左右方向がその長手方向となるように設けられ、背面パネル２２寄りの位置に配置されている。床パネル２５の上面のうち、浴槽２Ｂよりも正面パネル２１側の部分は、入浴者が洗身や洗髪を行う場所となる洗い場２Ｗとされており、浴槽２Ｂと洗い場２Ｗとは奥行方向に並べられている。浴槽２Ｂと洗い場２Ｗが並べられることにより、浴室空間２０の下部には段差が生じることとなり、洗い場２Ｗの端部と、浴槽２Ｂのリム部２Ｂ１の端部とを繋ぐように、浴槽２Ｂの側面を隠す化粧板であるエプロン２Ｅが立設されている。
【００３３】
浴室乾燥機３は、吸気装置３１と、連通管３３と、送気装置３４と、を有しており、浴室空間２０の天井パネル２６に設けられている。吸気装置３１は、その下方に開設された吸込口３２から浴室空間２０の空気を吸い込み、その内部に取り込む装置である。送気装置３４は、吸気装置３１と左右方向に間隔を空けて配置されており、内部に取り込んだ空気を加熱し、その下方に開設された吹出口３５から浴室空間２０に吹き出す装置である。連通管３３は、吸気装置３１及び送気装置３４の内部に連通しており、吸気装置３１の内部に取り込まれた空気を、送気装置３４の内部に流す管状部材である。尚、図１では、吸気装置３１及び送気装置３４の内部構成の図示を省略している。
【００３４】
浴室乾燥機３が運転することにより、浴室空間２０の空気は、吸気装置３１によって吸い込まれ、その後、送気装置３４によって浴室空間２０に吹き出して戻される。すなわち、浴室乾燥機３を介して浴室空間２０の空気が循環することとなる。循環しながら送気装置３４によって繰り返し加熱されることで、浴室空間２０の空気が昇温していく。
【００３５】
吸気装置３１の吸込口３２は、複数の孔３２ａが奥行方向に互いに離間して１列に並べられることで構成されており、その外形は、奥行方向を長手方向とする扁平形状となっている。同様に、送気装置３４の吹出口３５は、複数の孔３５ａが奥行方向に互いに離間して１列に並べられることで構成されており、その外形は、奥行方向を長手方向とする扁平形状となっている。吸込口３２の複数の孔３２ａが並べられる方向と、吹出口３５の複数の孔３５ａが並べられる方向とは、略平行とされている。吸込口３２と吹出口３５は、それぞれ空気の吸い込みと吹き出しを行うことにより、浴室空間２０に幅広のカーテン状の気流を形成する。
【００３６】
次に、図２を参照して、送気装置３４の構成について説明する。図２は、本発明の第１実施形態に係る浴室乾燥機付きユニットバスに設けられた浴室乾燥機の送気装置を表す斜視模式図である。
【００３７】
図２に表すように、送気装置３４は、ケーシング３６と、温風供給ユニット４０と、を有している。
【００３８】
ケーシング３６は、送気装置３４の筐体となる金属製箱体であり、その外形は奥行方向（矢印Ｘ方向）を長手方向とする略直方体形状を呈している。ケーシング３６の吸気装置３１側の側面には、ケーシング３６の内部に連通する連通口３７が開設されており、連通管３３の端部がこの連通口３７に接続されている。
【００３９】
温風供給ユニット４０は、空気を加熱して浴室空間２０に吹き出すためのユニットであり、ケーシング３６の内部に配置されている。温風供給ユニット４０は、ファン４１と、パイプ４３と、を有している。また、パイプ４３の内部には、３つのヒータ４４ａ、４４ｂ、４４ｃが配置されている。
【００４０】
ファン４１は、電力の供給を受けて運転する電動送風機であり、ここでは遠心型ファンを採用している。ファン４１は、電力の供給を受けるとモータ（図示せず）が回転駆動し、その出力軸に固定されたシロッコファン（図示せず）が、上下方向に延びる軸を中心として回転する。これにより、上方に向けて開口する吸引口４１ａから空気が吸引され、奥行方向で背面パネル２２側に向けて吹き出される。
【００４１】
パイプ４３は、ファン４１と奥行方向（矢印Ｘ方向）に隣り合うように配置された金属製の管状部材である。パイプ４３は、ファン４１とは反対側の端部４３ｂが閉塞されている一方で、ファン４１側の端部４３ａが開放されている。これにより、ファン４１が吹き出した空気は、端部４３ａからパイプ４３の内部に流入する。後述するように、パイプ４３の内部には、ルーバー４６１（図２では図示せず）が回動自在に設けられている。
【００４２】
ケーシング３６の内部は、パイプ４３が配置されることにより、パイプ４３の外部の第１内部流路４０１と、第１内部流路４０１の下流側の流路であってパイプ４３の内部の第２内部流路４０２とに区画される。すなわち、連通口３７からケーシング３６の内部に取り込まれ、第１内部流路４０１を奥行方向で正面パネル２１側に向かって流れた空気は、ファン４１によって吹き出され、折り返すようにして第２内部流路４０２を奥行方向で背面パネル２２側に向かって流れることになる。
【００４３】
ヒータ４４ａ、４４ｂ、４４ｃは、いずれも、第２内部流路４０２の吹出口３５の近傍に配置され、電力の供給を受けて発熱する。また、ヒータ４４ａ、４４ｂ、４４ｃは、吹出口３５の長手方向（奥行方向）に沿って、互いに間隔を空けて並べられている。
【００４４】
次に、図３乃至図５を参照して、吸込口３２及び吹出口３５の配置と、それらによって浴室空間２０に形成される気流について説明する。図３は、本発明の第１実施形態に係る浴室乾燥機及びそれを備えた浴室乾燥機付きユニットバスを表す平面視模式図である。図４は、本発明の第１実施形態に係る浴室乾燥機及びそれを備えた浴室乾燥機付きユニットバスの吹出口近傍を表す断面視模式図である。図５は、本発明の第１実施形態に係る浴室乾燥機及びそれを備えた浴室乾燥機付きユニットバスの浴室空間の気流を表す正面視模式図である。詳細には、図３は、ユニットバス２と、吸込口３２及び吹出口３５との位置関係を表す模式図であり、図４は、奥行方向に垂直な平面におけるパイプ４３の断面図である。
【００４５】
図３に表すように、左右方向（矢印Ｙ方向）において、天井パネル２６の端部２６Ｌ（左側面パネル２３側）から端部２６Ｒ（右側面パネル２４側）までの領域を、領域Ｙ１、Ｙ２、Ｙ３に３等分して見た場合に、吹出口３５は領域Ｙ１に設けられ、吸込口３２は領域Ｙ３に設けられている。換言すれば、天井パネル２６の左右方向寸法をＬｙとすると、吹出口３５は端部２６Ｌから距離Ｌｙ／３の範囲内に設けられ、吸込口３２は端部２６Ｒから距離Ｌｙ／３の範囲内に設けられている。
【００４６】
吹出口３５の長手方向である奥行方向（矢印Ｘ方向）において、吹出口３５の端部から天井パネル２６の端部２６Ｆまでの距離３５Ｘ１と、吹出口３５の端部から天井パネル２６の端部２６Ｂまでの距離３５Ｘ２は、いずれも吹出口３５の長手方向寸法３５Ｘよりも小さい。これにより、吹出口３５の長手方向寸法３５Ｘに対して、吹出口３５の各端部から正面パネル２１、背面パネル２２までの距離が小さくなる。
【００４７】
また、吸込口３２の長手方向である奥行方向（矢印Ｘ方向）において、吸込口３２の端部から天井パネル２６の端部２６Ｆまでの距離３２Ｘ１と、吸込口３２の端部から天井パネル２６の端部２６Ｂまでの距離３２Ｘ２は、いずれも吸込口３２の長手方向寸法３２Ｘよりも小さい。これにより、吸込口３２の長手方向寸法３２Ｘに対して、吸込口３２の各端部から正面パネル２１、背面パネル２２までの距離が小さくなる。
【００４８】
図４に表すように、パイプ４３は、その下方の一部に切欠４３ｃを有している。また、その切欠４３ｃを覆うように、パイプ４３の内部には断面が円弧形状のルーバー４６１が設けられている。ルーバー４６１は、その一部に複数の孔３５ａが開設されており、パイプ４３の内部の第２内部流路４０２は、この複数の孔３５ａで構成される吹出口３５を介して浴室空間２０と連通している。
【００４９】
ファン４１（図２参照）によって吹き出され、パイプ４３の内部の第２内部流路４０２に流入した空気は、ルーバー４６１に開設された吹出口３５を上方から下方に通過し、浴室空間２０に吹き出す。この際、ヒータ４４ａ、４４ｂ、４４ｃ（図２参照）の近傍を通過する空気は、発熱して高温となっているヒータ４４ａ、４４ｂ、４４ｃからの熱伝達によって加熱され、高温となる。このため、空気はヒータ４４ａ、４４ｂ、４４ｃにより加熱された直後に、高温のまま浴室空間２０に吹き出す。
【００５０】
ルーバー４６１は、パイプ４３の中心軸Ｃを中心として、パイプ４３の内側面に沿って矢印Ｒで表す範囲で回動可能に構成されている。このルーバー４６１の回動により、吹出口３５が空気を吹き出す方向が所定範囲内で変化する。このため、送気装置３４は、吹出口３５から吹き出す空気により、浴室空間２０の左右方向にわたって広範囲に気流を形成することができる。
【００５１】
図５に矢印Ｆ１１で表すように、吹出口３５から吹き出す空気によって形成された気流のうち、奥行方向（矢印Ｘ方向）で背面パネル２２（図１参照）寄りの気流は、左側面パネル２３に沿って進行し、浴槽２Ｂに到達した後に、浴槽２Ｂの内槽部２Ｂ２に沿って旋回し、吸込口３２に向かう。
【００５２】
一方、吹出口３５から吹き出す空気によって形成された気流のうち、奥行方向（矢印Ｘ方向）で正面パネル２１（図１参照）寄りの気流は、矢印Ｆ１２で表すように、左側面パネル２３に沿って進行し、洗い場２Ｗに到達した後に、洗い場２Ｗ及び右側面パネル２４に沿って旋回し、吸込口３２に向かう。この気流は、洗い場２Ｗの端部と浴槽２Ｂの端部とを繋ぐエプロン２Ｅの表面を通過するため、エプロン２Ｅの表面に付着した残水の蒸発が促される。
【００５３】
以上のように構成された本発明の第１実施形態に係る浴室乾燥機及びそれを備えた浴室乾燥機付きユニットバスによれば、まず、左右方向（矢印Ｙ方向）に３等分して見た天井パネル２６の領域のうち、吹出口３５は領域Ｙ１に設けられ、吸込口３２は領域Ｙ１から最も離れた領域Ｙ３に設けられるため、吹出口３５と吸込口３２とが左右方向に大きく離間する。これにより、吹出口３５から吹き出す空気により形成される気流が、ユニットバス２の床パネル２５等に到達することなく吸込口３２に向かって進行してしまうショートサーキット現象の発現を抑制することができる。
【００５４】
尚、ここでは、吹出口３５及び吸込口３２を、３等分して見た天井パネル２６の領域のうち、両端の領域に設けることとしているが、ショートサーキット現象の発現をより確実に抑制するためには、天井パネル２６の領域を４等分して見た場合の両端の領域に設けることがより好ましい。
【００５５】
また、吹出口３５の端部から天井パネル２６の端部２６Ｆまでの距離３５Ｘ１と、吹出口３５の端部から天井パネル２６の端部２６Ｂまでの距離３５Ｘ２を、いずれも吹出口３５の長手方向寸法３５Ｘよりも小さくしたことで、吹出口３５から吹き出した空気は、正面パネル２１及び背面パネル２２近傍の空気を巻き込みながら、幅広のカーテン状の気流を形成する。これにより、気流を浴室空間２０の広範囲に行きわたらせ、乾燥させることが可能となる。
【００５６】
また、吸込口３２の端部から天井パネル２６の端部２６Ｆまでの距離３２Ｘ１と、吸込口３２の端部から天井パネル２６の端部２６Ｂまでの距離３２Ｘ２を、いずれも吸込口３２の長手方向寸法３２Ｘよりも小さくしたことで、吸込口３２により吸い込む浴室空間２０の空気は、正面パネル２１及び背面パネル２２近傍の空気を巻き込みながら、幅広のカーテン状の気流を形成するため、気流を浴室空間２０の広範囲に行きわたらせ、乾燥させることが可能となる。
【００５７】
また、吸込口３２の複数の孔３２ａが並べられる方向であって、吸込口３２の長手方向と、吹出口３５の複数の孔３５ａが並べられる方向であって、吹出口３５の長手方向とを、互いに略平行としたことで、吹出口３５から空気を吹き出すことで形成した幅広のカーテン状の気流を、その形状を崩すことなく吸込口３２に至らせることができるため、気流を浴室空間２０に広範囲に行きわたらせ、乾燥させることが可能となる。
【００５８】
また、吹出口３５は、その長手方向が、浴槽２Ｂと洗い場２Ｗとが並ぶ奥行方向（矢印Ｘ方）に沿うように設けられていることで、吹出口３５から吹き出す空気により形成される気流は、浴槽２Ｂと洗い場２Ｗとの段差によって進行を阻まれることなく、浴槽２Ｂと洗い場２Ｗの双方に到達することが可能となる。
【００５９】
また、吹出口３５を構成する複数の孔３５ａのうち、洗い場２Ｗに対応する位置に配置されるものを、浴槽２Ｂに対応する位置に配置されるものよりも径を大きくするなどして、吹出口３５から洗い場２Ｗ側に向けて吹き出す空気の流量を、吹出口３５から浴槽２Ｂ側に向けて吹き出す空気の流量よりも大きくなるように構成してもよい。これにより、浴槽２Ｂに比べて排水性能が劣る洗い場２Ｗ側に向けて優先的に空気を吹き出して気流を形成し、洗い場２Ｗを優先的に乾燥させてカビの発生を抑制することが可能となる。
【００６０】
続いて、図６を参照して、本発明の第２実施形態に係る浴室乾燥機及びそれを備えた浴室乾燥機付きユニットバスの概略を説明する。本発明の第２実施形態に係る浴室乾燥機及びそれを備えた浴室乾燥機付きユニットバスを表す平面視模式図である。詳細には、図６は、ユニットバス２と、吸込口３２３及び吹出口３５３との位置関係を表す模式図である。第２実施形態に係る浴室乾燥機つきユニットバスは、吹出口３５３及び吸込口３２３の構成が、第１実施形態に係る浴室乾燥機つきユニットバスの第１吹出口３５及び吸込口３２と異なるものであり、その他の同一の構成については適宜説明を省略する。
【００６１】
図６に表すように、本発明の第２実施形態に係る浴室乾燥機付きユニットバスでは、浴室空間２０の空気の吸い込みを行う吸込口３２３と、その空気を浴室空間２０に吹き出す吹出口３５３は、それぞれ単一の開口３２３ａ、３５３ａとされている。開口３２３ａ、３５３ａは、いずれも、その奥行方向寸法が左右方向寸法よりも極端に大きい扁平形状のスリットとなっている。このため、吸込口３２３と吹出口３５３は、それぞれ空気の吸い込みと吹き出しを行うことにより、浴室空間２０に幅広のカーテン状の気流を形成する。
【００６２】
以上のように構成された第２実施形態に係る浴室乾燥機付きユニットバスによれば、吹出口３５３は単一の開口で構成されているため、吹出口３５３が互いに離間した複数の開口で構成される場合に比べて、吹出口３５３近傍における気流の乱れを抑制し、浴室空間２０に幅広のカーテン状の気流を確実に形成することが可能となる。
【００６３】
また、吸込口３２３は単一の開口で構成されているため、吸込口３２３が互いに離間した複数の開口で構成される場合に比べて、吸込口３２３近傍における気流の乱れを抑制し、浴室空間２０に幅広のカーテン状の気流を確実に形成することが可能となる。
【００６４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１    ：浴室乾燥機付きユニットバス
２    ：ユニットバス
２Ｂ  ：浴槽
２Ｗ  ：洗い場
２６  ：天井パネル（天井）
２６Ｆ、２６Ｂ、２６Ｌ、２６Ｒ：天井パネルの端部（天井の端部）
３    ：浴室乾燥機
２０  ：浴室空間（浴室）
３２、３２３：吸込口（吸込部）
３２３ａ：開口
３５、３５３：吹出口（吹出部）
３５３ａ：開口
【図１】
2015194313.tif 000003
【図２】
2015194313.tif 000004
【図３】
2015194313.tif 000005
【図４】
2015194313.tif 000006
【図５】
2015194313.tif 000007
【図６】
2015194313.tif 000008